(57)【要約】【課題】断熱を施す断熱層が溶けた場合にも上方への火のまわりを抑制できる建造物を得ることにある。【解決手段】断熱を施す発泡プラスチック系断熱層５の屋外側に外側通気層２を有するとともに、断熱層５の屋内側に壁体内通路（内側通気層）３を有する建物１を前提とする。外側ファイアーストップ材４１で断熱層５を上下方向に区切る。このストップ材は発泡剤（閉塞要素）４２を有する。発泡剤４２は、所定温度以下では外側通気層２の通気を可能とする未発泡状態を維持し、所定温度を超える温度では外側通気層２の通気を断つように発泡膨張する。内側通気層３に内側ファイアーストップ材となる横架材２２を設け、この横架材は発泡剤３３を有する。発泡剤３３は、所定温度以下では通路３の通気を可能とする未発泡状態を維持し、所定温度を超える温度では通路３の通気を断つように発泡膨張する。【選択図】　　図１
2004052245.tif 000002
【特許請求の範囲】
【請求項１】
断熱を施す発泡プラスチック系断熱層の屋外側に通気層を有する建物において、所定温度以下では前記通気層の通気を可能とする状態を維持し、かつ、所定温度を超える温度では前記通気層の通気を断つように機能する閉塞要素を有するファイアーストップ材で、前記断熱層を上下方向に区切っている建造物。
【請求項２】
断熱を施す発泡プラスチック系断熱層の屋外側に外側通気層を有するとともに、前記断熱層の屋内側に内側通気層を有する建造物において、所定温度以下では前記外側通気層の通気を可能とする状態を維持し、かつ、所定温度を超える温度では前記外側通気層の通気を断つように機能する閉塞要素を有する外側ファイアーストップ材で、前記断熱層を上下方向に区切っているともに、所定温度以下では前記内側通気層の通気を可能とする状態を維持し、かつ、所定温度を超える温度では前記内側通気層の通気を断つように機能する閉塞要素を有する内側ファイアーストップ材を、前記内側通気層に設けた建造物。
【請求項３】
請求項２に記載の建造物において、この建造物の壁体に含まれる横架材が前記内側ファイアーストップ材の基材を兼ねている。
【請求項４】
請求項１から３の内のいずれか１項に記載の建造物において、この建造物の壁体に含まれる横架材に、前記断熱層を仕切っている前記ファイアーストップ材が固定されている。
【請求項５】
請求項１から４の内のいずれか１項に記載の建造物において、前記断熱層を仕切っている前記ファイアーストップ材の前記閉塞要素以外は木製である。
【請求項６】
請求項１から５の内のいずれか１項に記載の建造物において、この建造物の壁体に含まれる横架材に、前記断熱層を仕切っている前記ファイアーストップ材を介して前記断熱層との間に屋外側の通気層を形成する外装材が連結されている。
【発明の詳細な説明】
【０００１】
【発明の属する技術分野】
本発明は、断熱を施す断熱層の外側に通気層を有する建物等の建造物に関する。
【０００２】
【従来の技術】
壁体の例えば外側に断熱層を設けて外断熱を施した木造住宅等では、屋外側からの防水・防湿性及び防火性を確保するために設けられる外装材と断熱層との間に、屋外側の通気層が設けられることがある。
【０００３】
このような建物で、壁体内に配置される横架材の幅を壁体の幅と同じとすることは、この横架材をファイアーストップ材として機能させることができる。又、壁体が有する桁や胴差などの横架材の上面に、階上用床体の縁部を重ねて固定する構成では、この固定部分により壁体内の通気が断たれる。
【０００４】
建物躯体内部に湿気又は熱気が滞留しないように壁体内での通気を維持しつつ、火災時にはファイアーストップ機能を発揮できるようにするために、壁体内通気路を通して火炎の上方への広がりを抑制できる防火遮断板が、特開平８−１３５０３８号公報で提案されている。この防火遮断板は、木材又は金属製その他各種材質の板材に設けた複数の通気孔の内面に、火災時の熱により発泡膨張して通気孔を塞ぐパイプ状の耐火性発泡剤を配設してなる。
【０００５】
実開平６−７８４１４号公報には、建物の内壁材と外壁材との間に形成される通気空間の出入り部分に未発泡の耐火性発泡剤を有したシートを貼着して、その発泡剤を火災時の熱により発泡膨張させ、通気空間の通気を遮断して延焼を防止する技術が提案されている。
【０００６】
【発明が解決しようとする課題】
建物の壁体での通気が閉ざされている場合や、火災時に閉ざされる場合には、ファイアーストップ材で塞き止められた火炎は断熱層に波及し易くなる。断熱層にはプラスチック系断熱層が採用されているため、この断熱層が前記塞き止められた火炎によって溶けるに伴い、断熱層と外装材との間の通気層を通って、前記ファイアーストップ材の上方に火がまわる恐れがある。
【０００７】
このような恐れを解消することは実開平６−７８４１４号公報では教示されていない。この公報に記載の技術を、前記外断熱を施す断熱層の外側に通気層を設けた建物に適用できるとしても、通気層の出入り部分に火災時に通気を断つ構成が付加されるに過ぎない。この付加構成では、断熱層の外側に在る通気層の中間部分を通って、火がファイアーストップ材を迂回し上方にまわることは妨げられない。
【０００８】
本発明が解決しようとする課題は、断熱を施す断熱層が溶けた場合にも上方への火のまわりを抑制できる建造物を得ることにある。
【０００９】
【課題を解決するための手段】
前記課題を解決するために、請求項１に係る発明の建造物は、断熱を施す発泡プラスチック系断熱層の屋外側に通気層を有する建造物において、所定温度以下では前記通気層の通気を可能とする状態を維持し、かつ、所定温度を超える温度では前記通気層の通気を断つように機能する閉塞要素を有するファイアーストップ材で、前記断熱層を上下方向に区切っている。
【００１０】
この請求項１の発明において、断熱層を上下方向に区切ったファイアーストップ材の閉塞要素は、非火災時、通気層の通気を可能とする状態にある。火災時に断熱層が溶けた場合に、その部分を通る火炎や熱風の熱が前記閉塞要素に作用するので、この閉塞要素が所定温度で通気層の通気を閉じるようになり、通気層の通気を抑制する。これとともに、ファイアーストップ材でそれより上方の断熱層が溶けることを抑制する。
【００１１】
又、前記課題を解決するために、請求項２に係る発明の壁体は、断熱を施す発泡プラスチック系断熱層の屋外側に外側通気層を有するとともに、前記断熱層の屋内側に内側通気層を有する建造物において、所定温度以下では前記外側通気層の通気を可能とする状態を維持し、かつ、所定温度を超える温度では前記外側通気層の通気を断つように機能する閉塞要素を有する外側ファイアーストップ材で、前記断熱層を上下方向に区切っているともに、所定温度以下では前記内側通気層の通気を可能とする状態を維持し、かつ、所定温度を超える温度では前記内側通気層の通気を断つように機能する閉塞要素を有する内側ファイアーストップ材を、前記内側通気層に設けている。
【００１２】
この請求項２の発明において、内側ファイアーストップ材の閉塞要素は、非火災時、内側通気層の通気を可能とする状態にあるとともに、断熱層を上下方向に区切った外側ファイアーストップ材の閉塞要素も、非火災時には外側通気層の通気を可能とする状態にある。火災時には、内側ファイアーストップ材の閉塞要素が所定温度で内側通気層の通気を閉じるようになって、内側通気層の通気を抑制するとともに、内側ファイアーストップ材でそれより上方の延焼を抑制する。そして、この延焼抑制に伴い断熱層が溶けた場合には、溶けた部分を通る火炎や熱風の熱が外側ファイアーストップ材の閉塞要素に作用するので、この閉塞要素が所定温度で外側通気層の通気を閉じるようになって、外側通気層の通気を抑制するとともに、外側ファイアーストップ材でそれより上方の断熱層が溶けることを抑制する。
【００１３】
この請求項２の発明において、建造物の壁体に含まれる横架材で前記内側ファイアーストップ材の基材を兼ねることができる。又、請求項１又は２の発明において、建造物の壁体に含まれる横架材に、前記断熱層を仕切っている前記ファイアーストップ材を固定するとよいとともに、前記断熱層を仕切っている前記ファイアーストップ材の閉塞要素以外は木製とすることができ、又、建造物の壁体に含まれる横架材に、前記断熱層を仕切っている前記ファイアーストップ材を介して前記断熱層との間に前記屋外側の通気層を形成する外装材を連結してもよい。
【００１４】
【発明の実施の形態】
以下、図１〜図３を参照して本発明の第１実施形態を説明する。
【００１５】
図１中符号１で示す建造物例えば建物は、外断熱を施した木造住宅であるとともに、屋外通気層としての外側通気層２と、屋内側通気層（又は内側通気層とも称する。）としての壁体内通気路３とを備えている。
【００１６】
外断熱を施すとともに外側通気層２を設けるために、建物１の躯体をなす壁体４の外側に断熱層５（第１の外壁）が外張りされているとともに、更に、この断熱層５の外面との間に所定の隙間を設けて外装材６（第２の外壁）が外張りされている。断熱層５には、プラスチック系断熱材例えば独立発泡された発泡ポリスチレンを一層又は複層としたボードを好適に使用できる。この断熱層５と外装材６との間には上下方向に延びる図示しない胴縁が挟まれていて、これらの部材によって壁体４の外側に外側通気層２を形成する前記隙間が確保されている。なお、図１及び図２中符号５ａは断熱層５の取扱いを容易にするためのベニヤ板や木ずりなどの内張りパネルを示しているが、これは省略することができる。
【００１７】
外側通気層２の下端は雨仕舞のための水切りまわりで大気中に連通されている。建物１の小屋裏空間７も外断熱を施されている。そのために、図１に示すように外装材をなす屋根材８の裏側に小屋裏断熱層９が配設され、これらの間に屋根部外側通気層１０が形成されている。小屋裏断熱層９と断熱層５とは連続している。外側通気層１０の下側に壁体４まわりの前記外側通気層２の上端が連通されているとともに、外側通気層１０の上部は屋根部に設けた図示しない排気口に連通されている。
【００１８】
建物１の上部に小屋裏空間７を区画する小屋裏断熱層９には、前記断熱層５と同種の断熱層を使用できる。建物１の上部には、小屋裏換気部として例えば小屋裏空間７と屋外との連通を任意に開閉できる１以上の小屋裏ダンパ１１が取付けられている。このダンパ１１は、手動又は電動により開閉できるものであって、ドレーキップ窓や天窓等の開口部開閉用の通常の建具を包含し、又、電動ファンを備える換気扇も包含する。
【００１９】
図１中符号１２は建物１の基礎コンクリート１３によって区画された床下空間を示している。基礎コンクリート１３は所定箇所に１以上の換気口１４を有している。基礎コンクリート１３には、床下換気部として例えば換気口１４を手動又は電動により任意に開閉できる床下ダンパ１５が取付けられている。
【００２０】
基礎コンクリート１３上には土台１６が固定されている。この土台１６上には壁体内通気路３を有する軸組構造の壁体４が設けられている。壁体４は、上端部が小屋裏空間７に臨む柱２１、この柱２１に横架されてファイアーストップ材として機能する横架材２２、２３、及び図示しない筋交いなどを軸組に緊結して構成されている。図示の横架材２３は梁としても機能し、横架材２２は端根太としても機能する。
【００２１】
各横架材２２、２３は、いずれも壁体４の幅と同じ幅の木材で作られている。この木材としては、杉、松、米つがなどの無垢材又は構造用集成材といったものを例示できる。壁体４の居住空間側の面には壁用内装材２４、２５が釘打ちや接着等により取付けられている。内装材２４、２５は、内装下地材およびこの表面に張られて居住空間に臨む石膏ボードなどからなる。
【００２２】
階下に配設される内装材２４の下端には床体を構成する階下用耐力面材２６が連結されている。床下空間１２に臨んだ耐力面材２６は、土台１６上に縁部２７ａを支持された階下用床根太２７上に取付けられている。そのため、床根太２７の厚み分の隙間からなる通気の出入り部分２８が、縁部２７ａと土台１６との間に設けられ、この部分２８を介して壁体４の最も下側の壁体内空間４ａと床下空間１２とが連通されている。
【００２３】
階上に配設される壁用内装材２５の下端には床体を構成する階上用耐力面材２９が連結されている。この耐力面材２９の縁部２９ａは横架材２２上に直接支持されている。これにより、階上用耐力面材２９に臨んだ階上用床下空間３０と壁体４の最も上側の壁体内空間４ｂとは仕切られている。壁体内空間４ａは、土台１６と、横架材２２と、階下側の壁用内装材２４と、断熱層５とで区画されている。この上側の壁体内空間４ｂは、横架材２２及び２３と、階上側の壁用内装材２５と、断熱層５とで区画されている。なお、図１中符号３５は耐力面材２９を支持する階上用の床根太を示している。
【００２４】
横架材２２、２３には、これらの上下両面に夫々開放する切欠き又は通孔等からなる通気部２２ａ、２３ａが個別に設けられている。通気部２２ａは横架材２２の長手方向に間隔的に設けられ、同様に通気部２３ａは横架材２３の長手方向に間隔的に設けられている。これらの通気部２２ａ、２３ａの寸法、形状、相互間隔、位置等は、必要な構造強度を損なわない範囲で任意に設定できる。
【００２５】
各通気部２２ａを介して上下に隣接する壁体内空間４ａ、４ｂが連通され、各通気部２３ａを介して壁体内空間４ｂと小屋裏空間７とが連通されている。そのため、結果的に床下空間１２と小屋裏空間７とは、内側通気層をなす壁体内通気路３によって連通されている。したがって、１階の床下空間１２から壁体内通気路３をへて小屋裏空間７に至る内側通気により、壁体４内の排熱や排湿ができるとともに、１階の床下空間１２と小屋裏空間７の温度差による空気密度差で生じる対流によって、居住者に与える住み心地を向上させることができる。
【００２６】
図１中符号３１、３２は、居住空間の天井をなす内装材を示し、壁用内装材２４又は２５の上部にほぼ直角に連なって配設されている。これらの天井用内装材３１、３２は、内装下地材、この表面に張られて居住空間に臨む石膏ボードなどからなる。
【００２７】
前記横架材２２、２３は、その通気部２２ａ、２３ａを非火災時には開放し、火災時には閉じるように機能する閉塞要素として例えば未発泡の耐火性発泡剤３３を有している。この発泡剤３３は、塗膜、又はテープ基材に耐火性塗料を塗布した接着テープ、或いは発泡剤３３そのものからなるテープとして、各通気部２２ａ、２３ａの内面に取付けられている。
【００２８】
横架材２２とこれに取付けられた発泡剤３３とは内側ファイアーストップ材を形成し、同様に横架材２３とこれに取付けられた発泡剤３３も内側ファイアーストップ材を形成する。したがって、横架材２２、２３は内側ファイアーストップ材の基材として機能する。そのため、横架材２２、２３の他に専用の内側ファイアーストップ材の基材を用意する必要がなく、壁体４の構成及び組立が複雑とはならない。
【００２９】
発泡剤３３としては、炭化成分、炭化促進剤、発泡主剤、及びバインダ、そして必要に応じて添加される可塑剤、並びに充填剤を含む耐熱性樹脂塑性物を例示できる。炭化成分はカーボンを生成させる主成分である。炭化促進剤は炭化成分のカーボン化を促進させる成分である。発泡主剤は発泡を担う主成分である。バインダは前記各材料を結合して耐熱性樹脂塑性物の物性を改善するものである。そして、可塑剤は、耐熱性樹脂塑性物に柔軟性を付与して塗膜の成形性を高める機能を有し、充填剤は、耐熱性樹脂塑性物の不燃性を高めかつ発泡密度を高める機能を有する。
【００３０】
この発泡剤３３は、木材の耐熱温度以下の所定温度で高倍率発泡（例えば２０倍発泡）する性能を有している。前記発泡を開始する温度は、例えば６０℃〜２５０℃、好ましくは２００℃〜２５０℃であり、この温度を超える温度では発泡が完了して、この発泡により、壁体内空間４ａから壁体内空間４ｂに向けて通気部２２ａを通る通気、又は壁体内空間４ｂから小屋裏空間７に向けて通気部２３ａを通る通気を、実質的に遮断できるようになっている。そのための発泡剤３３の厚みは１ｍｍ程度とすることが可能である。このため、未発泡状態の発泡剤３３によって通気部２２ａ、２３ａの流路断面積が減ることは実質的に無視でき、通気部２２ａ、２３ａには壁体４内の通気に必要な流路断面積を確保できる。なお、発泡剤３３には、前記例示のものの他に、熱で燃えて、膨らんで、この膨らみ状態で固体となる一般市販品を用いることができる。
【００３１】
壁体４の屋外側に設けられる外側ファイアーストップ材４１で前記断熱層５は上下方向に仕切られている。ファイアーストップ材４１は、壁体４の横方向に連続して延びるように複数連ねて使用されて、上下に隣接する断熱層部分間に配置されている。なお、図１及び図２では説明の都合上、断熱層５の内でファイアーストップ材４１の上側の断熱層部分を符号５ｂで示し、ファイアーストップ材４１の下側の断熱層部分を符号５ｃで示した。
【００３２】
ファイアーストップ材４１を作る材料としては、木材又は金属或いはＡＬＣ（軽量発泡コンクリート）若しくは耐熱性合成樹脂等を例示できる。本実施形態では、金属に比して断熱性能に優れ、それゆえに、ファイアーストップ材４１が配置される箇所での断熱層５の断面欠損を抑制するのに好適な木材で、ファイアーストップ材４１が作られている。木製ファイアーストップ材４１の形状を図３（Ａ）又は（Ｂ）或いは（Ｃ）に例示する。
【００３３】
図３（Ａ）のファイアーストップ材４１は、その一側部に上下両面に夫々開放する溝からなる通気部４１ａが、長手方向に間隔的に設けられている。図３（Ｂ）のファイアーストップ材４１では、その一側部に上下両面に夫々開放する例えば長円状の通孔からなる通気部４１ａが、長手方向に間隔的に設けられている。図３（Ｃ）のファイアーストップ材４１では、その一側部に上下両面に夫々開放する溝からなる通気部４１ａが、長手方向に間隔的に設けられ、かつ、他側部にも上下両面に夫々開放する溝が長手方向に間隔的に設けられている。
【００３４】
ファイアーストップ材４１には、その通気部４１ａを非火災時には開放し、火災時には閉じるように機能する未発泡の耐火性発泡剤４２を有している。発泡剤４２には既述の発泡剤３３と同種のものが使用され、この発泡剤４２は、塗膜、又はテープ基材に耐火性塗料を塗布した接着テープとして、各通気部４１ａの内面に取付けられている。この取付けにおいて、耐火性発泡剤３３、４２とこれが設けられる木材などの基材との間に金属層を挟むようにして、発泡剤３３、４２の接着の安定性を図ることは好ましい。
【００３５】
ファイアーストップ材４１は、これに取付けた発泡剤４２を外側通気層２に臨ませて、壁体４の上下方向中間部に位置する例えば横架材２２に固定されている。この固定のために本実施形態では、外装材６からファイアーストップ材４１及び内張りパネル５ａを通って横架材２２に固定部品例えば釘４３を打ち込んでいる。こうしてファイアーストップ材４１を介して横架材２２と外装材６とを釘４３で連結したことにより、外装材６を通常の支持箇所以外に支持することができるから、火災時に通常の支持個所の支持性能が低下することがあっても、外装材６が万が一にも脱落しないようにできる。又、釘４３の打付けにより、外装材６の屋内側面とファイアーストップ材４１の屋外側面との密接性を高めることができる。
【００３６】
図１中符号４５は外側通気層２の入口部分に配置されたファイアーストップ材を示しているとともに、符号４６は外側通気層２の出口部分に配置されたファイアーストップ材を示している。ファイアーストップ材４５、４６は、外装材６を通る釘で土台１６又は梁としての横架材２３に固定されている点以外は、ファイアーストップ材４１と同じであるので、同一部分には同じ符号を付して説明を省略する。ファイアーストップ材４５、４６を設けることは、外装材６の支持性能を高めることができ、更に外側通気層２の入口部に配設されたファイアーストップ材４５により屋外からの断熱層５への放火等に伴う外側通気層２を通しての上方への延焼を抑制できる点で好ましい。しかし、これらのファイアーストップ材４５、４６は省略することも可能である。
【００３７】
以上の構成を備えた建物１において、壁体内通気路３を有する枠組構造の壁体４の横架材２２、２３は、いずれもファイアーストップ材として機能する。壁体４に火災による火炎が波及した場合、その火炎や熱風は壁体内通気路３内の通気部２２ａ、２３ａの上方に通過しようとする。
【００３８】
しかし、通気部２２ａ、２３ａに設けられている未発泡の耐熱性発泡剤３３は、火災時に主に下方から作用する火炎や熱風の熱により、横架材２２、２３が発火温度に達する以前に、所定温度以上に昇温されて発泡膨張して、通気部２２ａ、２３ａを実質的に閉塞できる。これにより、壁体内通気路３での通気を断って火炎が上方に延焼することを抑制できる。
【００３９】
こうした壁体内通気路３での延焼抑制に伴って、横架材２２で塞き止められた火炎は、より多く断熱層５の断熱層部分５ｃに作用するようになる。この場合、本実施形態では内張りパネル５ａを有しているので、このパネル５ａで断熱層部分５ｃに直接作用する火炎を遮って、この断熱層部分５ｃが溶けることを遅延させることができる。それにも拘らず、内張りパネル５ａが焼けて断熱層部分５ｃが溶けるようになると、壁体内通気路３の壁体内空間４ａと外側通気層２のファイアーストップ材４１より下側通路部分とが連通する。
【００４０】
しかし、この連通により外側通気層２に流入した火炎及び熱気でファイアーストップ材４１が加熱されるので、木製のファイアーストップ材４１が発火温度に達する以前に、耐火性発泡剤４２が所定温度以上に昇温されて発泡膨張して、通気部４１ａを実質的に閉塞できる。これにより、外側通気層２での通気を断って火炎が上方の断熱層部分５ｂに延焼することを抑制できる。この場合、内外通気層を火炎が延焼しようとする方向に対して、これを遮るファイアーストップ材４１と横架材２２とは横方向に連続して設けられているので、これら両者によって外側通気層２を経由して横架材２２の上方へ火が回り込むことを抑制できる。
【００４１】
なお、高さ方向中間位置のファイアーストップ材４１と横架材２２とが燃えて、そのファイアーストップ機能が消失した場合には、これと同等の機能が、横方向に連続して設けられている上方位置のファイアーストップ材４６と横架材２３とで行われる。
【００４２】
以下、第２〜第５の各実施形態を説明する。これらの実施形態は基本的には第１実施形態と同じ構成であるので、同じ構成には第１実施形態と同じ符号を付して、その構成および作用の説明を省略し、異なる部分について説明する。
【００４３】
図４に示す本発明の第２実施形態は、断熱層５を上下方向に区切るファイアーストップ材４１に、溝や通孔等の通気部を有さない木製角材を用いている。このストップ材４１が有する耐火性発泡剤４２は、ファイアーストップ材４１の外側通気層２寄りの側面に、その長手方向全長に渡り取付けられている。ファイアーストップ材４１は、外装材６との結合関係を持つことなく、すなわち、外装材６を通らない釘４３によって横架材２２の屋外側面に固定されている。この固定により、発泡剤４２は外側通気層２に臨んで配置され、この発泡剤４２と外装材６の内面との間には通気部としての通気隙間Ｇが形成されている。
【００４４】
以上の説明以外の構成は、図示されない部分を含めて第１実施形態と同じである。よって、この第２実施形態でも、発泡剤４２が取付けられたファイアーストップ材４１を横架材２２の屋外側に連続して固定し、このファイアーストップ材４１で断熱層５を上下方向に区切ったことにより、壁体４のファイアーストップ機能で断熱材層部分５ｃが溶けた場合に、第１実施形態と同様な作用によって外側通気層２を通して火が上方へ回り込むことを抑制できる。しかも、第２実施形態では、ファイアーストップ材４１の加工及びそれへの発泡剤３３の取付けが容易であり、コストを低減できる。
【００４５】
図５に示す本発明の第３実施形態では、階上用床体をなす耐力面材２９は階上用木製床根太５１上に取付けられ、この床根太５１の端部が横架材２２上に連結されている。この２階（３階も同じ）の階上用床体を耐火構造とするためには、強化石膏ボードを貼り付けるとよい。床根太５１を用いることから、この根太５１の厚み分の隙間からなる通気の出入り部分５２が、耐力面材２９の縁部と横架材２２との間に設けられ、この部分５２を介して階上用床下空間３０と壁体４の壁体内空間４ｂとが連通されている。
【００４６】
又、第３実施形態では横架材２２の屋外側の側面は平坦であり、この側面は断熱層５の屋内側面（例えば内張りパネル５ａ）に密接されている。横架材２２の屋内側面と階下の壁用内装材２４の上端部との間には、図３（Ａ）で示すファイアーストップ材４１と同様な構成の屋内用の内側ファイアーストップ材５４が挟設されている。このため、図５では通気部および発泡剤については第１実施形態と同一符号が付されている。なお、これに代えて図３（Ｂ）で示すファイアーストップ材４１と同様な構成のファイアーストップ材５４を設けることもできる。このため、ファイアーストップ材５４の通気部４１ａを介して階上用床下空間３０と壁体４の壁体内空間４ａとが連通されている。又、前記通気の出入り部分５２にもファイアーストップ材５４を配置することが望ましい。
【００４７】
以上の説明以外の構成は、図示されない部分を含めて第１実施形態と同じである。よって、この第３実施形態でも、発泡剤４２が取付けられたファイアーストップ材４１を横架材２２の屋外側に連続して固定し、このファイアーストップ材４１で断熱層５を上下方向に区切ったことにより、壁体４のファイアーストップ機能で断熱層部分５ｃが溶けた場合に、第１実施形態と同様な作用によって外側通気層２を通して火が上方へ回り込むことを抑制できる。
【００４８】
図６に示す本発明の第４実施形態では、断熱層５を上下方向に区切るファイアーストップ材４１の通気層２に臨んだ部分に、複数の通孔４１ｄをファイアーストップ材４１の長手方向に沿って所定間隔ごとに設けている。これらの通孔４１ｄの夫々には、閉塞要素として例えば防炎通気筒状体１４２が上下方向に貫通して取付けられている。
【００４９】
この筒状体１４２は、上端に孔塞ぎ凸部１４２ａを一体に張出した筒状部１４２ｂで作られている。孔塞ぎ凸部１４２ａは通孔４１ｄを上方から塞ぐ大きさであって、好ましくは筒状部１４２ｂの周方向に連続するフランジで作られている。なお、この孔塞ぎ凸部１４２ａは筒状体１４２ｂとは別に形成されたパイプやワッシャー等を筒状体１４２ｂに取付けてもよい。
【００５０】
筒状体１４２ｂは、形状記憶金属などの難燃性若しくは不燃性の形状記憶材料で形成されている。この筒状部１４２ｂは、所定温度に達するまでは、図６（Ｃ）中実線で示す直管形態を維持する。そして、ファイアーストップ材４１の防炎通気筒状体１４２以外の部分をなす例えば木部の耐熱温度（前記所定温度）である着化温度を超える温度では、図６（Ｃ）中実線で示すように、筒状部１４２ｂは内側に縮径してその内面が互いに合わさる記憶形状に変形するようになっている。この記憶形状に変形することにより、通気部をなす筒状部１４２ｂの内側通路１４２ｃは閉じ状態に維持される。そのため、筒状体１４２ｂは通気層２の通気を所定温度を超える温度で断つ閉塞要素として機能することができる。
【００５１】
以上の説明以外の構成は、図示されない部分を含めて第１実施形態と同じである。よって、この第４実施形態でも、形状記憶材料からなる防炎通気筒状体４２４２を有するファイアーストップ材４１を横架材２２の屋外側に連続して固定し、このファイアーストップ材４１で断熱層５を上下方向に区切ったことにより、壁体４のファイアーストップ機能で断熱材層部分５ｃが溶けた場合に、第１実施形態と同様な作用によって外側通気層２を通して火が上方へ回り込むことを抑制できる。
【００５２】
図７に示す本発明の第５実施形態では、断熱層５を上下方向に区切るファイアーストップ材４１の通気層２に臨んだ部分に、複数の支え凸部４１ｅがファイアーストップ材４１の長手方向に沿って所定間隔ごとに突設されている。図７（Ｂ）に例示するように凸部４１ｅは平面視略Ｔ字状をなしており、その先端面は外装材６の裏面に当接されている。ファイアーストップ材４１の長手方向に隣接する支え凸部４１ｅ間の空間は通気部としての通気間隙Ｇを形成する。外装材６の裏面には各支え凸部４１ｅに対応して下向きのフック６ａが設けられている。これらフック６ａは対応する支え凸部４１ｅにその上方から引掛けられ、この引掛けにより外装材６がファイアーストップ材４１に支持されている。なお、釘４３やねじなどの固定部品は、例えば支え凸部４１ｅ間において耐火性発泡剤４２及びファイアーストップ材４１の木部（基材）を通って梁等の横架材２２のファイアーストップ材４１を緊結（固定）している。
【００５３】
以上の説明以外の構成は、図示されない部分を含めて第１実施形態と同じである。よって、この第５実施形態でも、閉塞要素としての耐火性発泡材４２を有するファイアーストップ材４１を横架材２２の屋外側に連続して固定し、このファイアーストップ材４１で断熱層５を上下方向に区切ったことにより、壁体４のファイアーストップ機能で断熱材層部分５ｃが溶けた場合に、第１実施形態と同様な作用によって外側通気層２を通して火が上方へ回り込むことを抑制できる。しかも、この第５実施形態では、横架材２２に固定されたファイアーストップ材４１に外装材６を引掛け支持したので、外装材６の取付け強度を高めることができる点で優れている。
【００５４】
なお、第１及び第３の実施形態において、外装材６の屋内側面とファイアーストップ材４１の屋外側面とは単に接触しているだけでもよく、又、断熱層５を１以上の箇所で上下に区切るファイアーストップ材４１は、外装材６のみに連結するとともに横架材２２等の屋外側面に接触させて配置することもできる。又、本発明は、いわゆるツーバイ工法で作られる枠組構造の壁体を備えた木造住宅にも適用可能であり、又、壁体構造の一部を軽量型鋼に置換していわゆるスチールハウスとした建物にも適用可能である。更に、本発明は、外断熱を施した住宅（木造系及び鉄骨系等を含む）の全てに適用できる。又、本発明は、外断熱ではなく、断熱を施す断熱材（断熱層）を壁体内に配置するとともに、その断熱層の屋外側に通気層を有したた住宅（木造系及び鉄骨系等を含む）にも適用できる。しかも、本発明は建物以外に例えば船などの建造物にも適用できる。
【００５５】
【発明の効果】
断熱を施す断熱層の屋外側に通気層を有した建物に係る請求項１の発明、及び断熱を施す断熱層の屋外側と屋内側との夫々に通気層を有した請求項２の発明によれば、火災時に断熱層が溶けた場合に、断熱層を上下方向に区切ったファイアーストップ材が有する閉塞要素が、断熱層の外側の通気層の通気を閉じるように機能するとともに、このファイアーストップ材でそれより上方の断熱層が溶けることを抑制するので、上方への火のまわりを抑制できる建物を提供できる。
【図面の簡単な説明】
【図１】本発明の第１実施形態の建物が備える壁体まわりを示す断面図。
【図２】図１の壁体の２階床下まわりを示す断面図。
【図３】（Ａ）（Ｂ）（Ｃ）は図１の建物に備えられる夫々異なる屋外側ファイヤーストップ材の一部を示す斜視図。
【図４】本発明の第２実施形態の建物が備える壁体の２階床下まわりを示す断面図。
【図５】本発明の第３実施形態の建物が備える壁体の２階床下まわりを示す断面図。
【図６】（Ａ）は本発明の第４実施形態の建物が備える壁体の２階床下まわりを示す断面図。（Ｂ）は図６（Ａ）中Ｚ−Ｚ線に沿う断面図。（Ｃ）は図６（Ａ）中Ｙ−Ｙ線に沿う断面図。
【図７】（Ａ）は本発明の第５実施形態の建物が備える壁体の２階床下まわりを示す断面図。（Ｂ）は図７（Ａ）中Ｘ−Ｘ線に沿う断面図。
【符号の説明】
１…建物（建造物）
２…外側通気層（屋外側の通気層）
３…壁体内通気路（内側通気層）
４…壁体
４ａ、４ｂ…壁体内空間（通気空間）
５…断熱層
５ａ、５ｂ…上下の断熱層部分
６…外装材
７…小屋裏空間
１２…床下空間
２２、２３…横架材（外側ファイアーストップ材）
２２ａ、２３ａ…通気部
３３…耐火性発泡剤（閉塞要素）
４１…外側ファイアーストップ材
４１ａ…通気部
４２…耐火性発泡剤（閉塞要素）
１４２…防炎通気筒状体（閉塞要素）
【図１】
2004052245.tif 000003
【図２】
2004052245.tif 000004
【図３】
2004052245.tif 000005
【図４】
2004052245.tif 000006
【図５】
2004052245.tif 000007
【図６】
2004052245.tif 000008
【図７】
2004052245.tif 000009